(57)【特許請求の範囲】
【請求項１】
ディスプレイ装置であって：
本体と、
前記本体内に設置されるディスプレイパネルと、
前記本体に設置され、カメラモジュールの角度調節のための調節ホイールを含む映像通話ユニットと、
前記映像通話ユニットの制御のための回路基板と、
前記映像通話ユニットと前記回路基板とを相互に連結するケーブルと、を含み、
前記映像通話ユニットは、前記本体の上端部に設置され、
前記本体は、前面を形成する前面ケースと、後面を形成する後面ケースと、を含み、
前記前面ケース及び前記後面ケースのうちいずれか一つは、前記映像通話ユニットが設置される設置部を含み、
前記設置部は、前記調節ホイールを露出するよう後方に面する操作ホールを備える、
ディスプレイ装置。
【請求項２】
前記前面ケース及び前記後面ケースのうち他の一つは、前記設置部に設置された前記映像通話ユニットを支持するためのホルダー部を含み、
前記映像通話ユニットは、前記ホルダー部によって支持される突出部を含む、請求項１に記載のディスプレイ装置。
【請求項３】
前記映像通話ユニットは、撮影のための前記カメラモジュールと、音が入力されるマイクモジュールと、を含む、請求項１に記載のディスプレイ装置。
【請求項４】
前記映像通話ユニットは、前記カメラモジュールと前記マイクモジュールが収容され、前記本体に設置されるハウジングを含み、
前記ハウジングは前記本体の外面に設置される、請求項３に記載のディスプレイ装置。
【請求項５】
前記前面ケースは、前記ディスプレイパネルの外郭側に設けられる非活性部を隠すベゼルを含み、
前記映像通話ユニットは前記ベゼルの後方側に配置される、請求項１に記載のディスプレイ装置。
【請求項６】
前記本体は、透明材質で形成される前面パネルを含み、
前記映像通話ユニットは、前記前面パネルの後方に配置される、請求項１に記載のディスプレイ装置。
【請求項７】
前記本体は、透明材質で形成される前面パネルを含み、
前記前面パネルは、マイクモジュールに対応する位置に設けられた少なくとも一つの貫通孔を含む、請求項１に記載のディスプレイ装置。
【請求項８】
前記本体は、透明材質で形成される前面パネルを含み、
前記映像通話ユニットは、前記前面パネルの前面に配置される、請求項１に記載のディスプレイ装置。
【請求項９】
前記映像通話ユニットは前記ディスプレイパネルの後方に配置され、
前記ディスプレイパネルは、前記映像通話ユニットに対応する位置に設けられた少なくとも一つの貫通孔を含む、請求項１に記載のディスプレイ装置。
【請求項１０】
前記ディスプレイパネルは、画像が表示される活性領域と、画像が表示されない非活性領域と、を含み、
前記映像通話ユニットは、前記非活性領域の後方側に配置される、請求項１に記載のディスプレイ装置。
【請求項１１】
前記本体は、前記非活性領域を隠すベゼルを含み、
前記映像通話ユニットは前記ベゼルの後方に配置される、請求項１０に記載のディスプレイ装置。
【請求項１２】
前記映像通話ユニットは、撮影のための前記カメラモジュールと、音が入力されるマイクモジュールと、を含み、
前記ベゼルは、前記カメラモジュール及び前記マイクモジュールに対応する一つ以上の位置に設けられた一つ以上の貫通孔を含む、請求項１１に記載のディスプレイ装置。
【請求項１３】
前記ディスプレイパネルの前面に配置されるフィルムをさらに含み、
前記フィルムは、前記非活性領域を隠すマトリックス部を含み、
前記映像通話ユニットは、前記マトリックス部の後方側に配置される、請求項１０に記載のディスプレイ装置。
【請求項１４】
前記映像通話ユニットは、撮影のための前記カメラモジュールと、音が入力されるマイクモジュールと、を含み、
前記マトリックス部は、前記カメラモジュールに対応する位置に設けられ、光が透過する透過部と、前記マイクモジュールに対応する位置に設けられ、音が通過する少なくとも一つの貫通孔と、を含む、請求項１３に記載のディスプレイ装置。
【発明の詳細な説明】
【技術分野】
【０００１】
本発明は、映像通話などのマルチメディア機能を行うための映像通話ユニットを含むディスプレイ装置に関する。
【背景技術】
【０００２】
一般に、ディスプレイ装置は、画像が表示されるディスプレイモジュールを含む装置であって、このようなディスプレイ装置にはテレビやモニターが含まれる。
【０００３】
最近のディスプレイ装置としては、基本機能である画像を提供する機能の他に、映像通話などの多様なマルチメディア機能を提供できるように映像通話ユニットを含むディスプレイ装置がある。
【０００４】
映像通話ユニットは、音波を受けて電気信号を発生させるマイクモジュールと、映像を撮影するカメラモジュールとを含むことができる。
【発明の概要】
【発明が解決しようとする課題】
【０００５】
本発明の一側面は、映像通話ユニットの設置構造を有するディスプレイ装置を提供する。
【課題を解決するための手段】
【０００６】
本発明の一側面に係るディスプレイ装置は、本体と、前記本体内に設置されるディスプレイパネルと、前記本体に設置される映像通話ユニットと、前記映像通話ユニットの制御のための回路基板と、前記映像通話ユニットと前記回路基板とを連結するケーブルとを含む。
【０００７】
また、前記映像通話ユニットは、前記本体の上側に設置される。また、前記本体は、前面を形成する前面ケースと、後面を形成する後面ケースとを含み、前記前面ケース及び前記後面ケースのうちいずれか一つは、前記映像通話ユニットが設置される設置部を含む。
【０００８】
また、前記前面ケース及び前記後面ケースのうち他の一つは、前記設置部に設置された前記映像通話ユニットを支持するためのホルダー部を含み、前記映像通話ユニットは、前記映像通話ユニットから突出し、前記ホルダー部によって支持される突出部を含む。
【０００９】
また、前記映像通話ユニットは、撮影のためのカメラモジュールと、音が入力されるマイクモジュールとを含む。
【００１０】
また、前記映像通話ユニットは、前記カメラモジュールと前記マイクモジュールが収容され、前記本体に設置されるハウジングを含み、前記ハウジングは前記本体の外面に設置される。
【００１１】
また、前記カメラモジュールは、前記本体に対して回転可能に設置される。また、前記本体は、前面を形成する前面ケースと、後面を形成する後面ケースとを含み、前記前面ケースは、前記ディスプレイパネルの外郭側に設けられる非活性部を隠すベゼルを含み、前記映像通話ユニットは、前記ベゼルの後方側に配置される。
【００１２】
また、前記本体は、透明材質で形成され、前記本体の前面を形成する前面パネルを含み、前記映像通話ユニットは前記前面パネルの後方に配置される。また、前記本体は、透明材質で形成され、前記本体の前面を形成する前面パネルを含み、前記前面パネルは、前記マイクモジュールに対応する位置に設けられた少なくとも一つの貫通孔を含む。
【００１３】
また、前記本体は、透明材質で形成され、前記本体の前面を形成する前面パネルを含み、前記映像通話ユニットは、前記前面パネルの前面に配置される。また、前記映像通話ユニットは、前記ディスプレイパネルの後方に配置され、前記ディスプレイパネルには、前記映像通話ユニットに対応する位置に設けられた少なくとも一つの貫通孔を含む。
【００１４】
また、前記ディスプレイパネルは、画像が表示される活性領域と、画像が表示されない非活性領域とを含み、前記映像通話ユニットは、前記非活性領域の後方側に配置される。
【００１５】
また、前記本体は、前記非活性領域を隠すベゼルを含み、前記映像通話ユニットは、前記ベゼルの後方に配置される。
【００１６】
また、前記映像通話ユニットは、撮影のためのカメラモジュールと、音が入力されるマイクモジュールとを含み、前記ベゼルは、前記カメラモジュール及び前記マイクモジュールに対応する一つ以上の位置に設けられた一つ以上の貫通孔を含む。
【００１７】
また、前記ディスプレイパネルの前面に配置されるフィルムをさらに含み、前記フィルムは、前記非活性領域を隠すマトリックス部を含み、前記映像通話ユニットは、前記マトリックス部の後方側に配置される。
【００１８】
また、前記映像通話ユニットは、撮影のためのカメラモジュールと、音が入力されるマイクモジュールとを含み、前記マトリックス部は、前記カメラモジュールに対応する位置に設けられ、光が透過する透過部と、前記マイクモジュールに対応する位置に設けられ、音が通過する少なくとも一つの貫通孔とを含む。
【００１９】
また、本発明の一側面に係るディスプレイ装置は、本体と、前記本体内に設置されるディスプレイパネルと、前記ディスプレイパネルの外側に設置される映像通話ユニットとを含む。
【００２０】
また、本発明の一側面に係るディスプレイ装置は、本体と、前記本体内に設置されるディスプレイパネルと、前記ディスプレイパネルの後方側に設置される映像通話ユニットとを含む。
【００２１】
前記設置部は、調節ホイールを露出する後方に向かう操作ホールを含む。また、前記設置部は、前記映像通話ユニットに対応する形状を有する。前記映像通話ユニットは、ＭｏＩＰ（Ｍｕｌｔｉｍｅｄｉａ  ｏｖｅｒ  Ｉｎｔｅｒｎｅｔ  Ｐｒｏｔｏｃｏｌ）を用いる。
【００２２】
前記カメラモジュールが回転し、前記カメラモジュールのレンズが前記ディスプレイ装置の前方に向かわないとき、前記マイクモジュールの動作がオフになり、映像通話が不可能な状態になる。
【００２３】
前記前面ケースは、前記前面ケースの上部後端から下側に延長され、前記映像通話ユニットから下側に延長される第１の固定部に対応する第２の固定部を含む。
【００２４】
前記非活性領域は、前記活性領域に映像が表示されるようにする回路及び配線のうち少なくとも一つを備えることができる。
【発明の効果】
【００２５】
上述したように、ディスプレイ装置は、本体に映像通話ユニットを設置できるようになっているので、映像通話を可能にする。
【図面の簡単な説明】
【００２６】
【図１】本発明の一実施例に係るディスプレイ装置の概略図である。
【図２】本発明の一実施例に係るディスプレイ装置に適用された映像通話ユニットの斜視図である。
【図３】本発明の一実施例に係るディスプレイ装置における映像通話ユニットの設置を示した分解斜視図である。
【図４】本発明の一実施例に係るディスプレイ装置に適用された映像通話ユニットの分解斜視図である。
【図５】本発明の一実施例に係るディスプレイ装置に適用された映像通話ユニットの正面図である。
【図６】本発明の他の一実施例に係るディスプレイ装置における映像通話ユニットの設置を示した分解斜視図である。
【図７】本発明の更に他の一実施例に係るディスプレイ装置における映像通話ユニットの設置を示した斜視図である。
【図８】本発明の更に他の一実施例に係るディスプレイ装置における映像通話ユニットの設置を示した斜視図である。
【図９】本発明の更に他の一実施例に係るディスプレイ装置における映像通話ユニットの設置を示した斜視図である。
【発明を実施するための形態】
【００２７】
以下では、本発明に係る一実施例に係るディスプレイ装置を図面を参照して説明する。
【００２８】
図１に示したように、ディスプレイ装置１００は、外観を形成する本体１１０と、本体１１０内に設置され、画像を表示するディスプレイパネル１２０と、本体１１０の下部に配置され、本体１１０を支持するスタンド１３０とを含む。
【００２９】
ディスプレイパネル１２０は、液晶表示パネル（Ｌｉｑｕｉｄ  Ｃｒｙｓｔａｌ  Ｄｉｓｐｌａｙ  Ｐａｎｅｌ）又は有機発光ダイオードパネル（Ｏｒｇａｎｉｃ  Ｌｉｇｈｔ  Ｅｍｉｔｔｉｎｇ  Ｄｉｏｄｅｓ  Ｐａｎｅｌ）で構成できるが、本実施例では、液晶表示パネルからなっている。
【００３０】
本体１１０は、図２に示したように、ディスプレイパネル１２０の外郭枠を支持するベゼル１１１ａを含み、本体１１０の前方側端部を形成する前面ケース１１１と、ディスプレイパネル１２０の後方側を覆い、本体１１０の後面を形成する後面ケース１１２とを含み、前面ケース１１１と後面ケース１１２との間にディスプレイパネル１２０が配置される。ここで、ディスプレイパネル１２０は、画像が表示される活性領域と、活性領域に映像が表示されるようにするパターンが設けられ、ベゼル１１１ａによって隠される非活性領域とを含む。
【００３１】
本体１１０には、ディスプレイパネル１２０によって提供される映像を通して映像通話を可能にする映像通話ユニット１４０が設置される。本実施例において、映像通話ユニット１４０は、本体１１０の上端中央部に設置され、本体１１０の上側に突出し、ディスプレイパネル１２０の外側に設置される。
【００３２】
図２に示したように、映像通話ユニット１４０の設置のために、後面ケース１１２の上端中央部には、映像通話ユニット１４０に対応する形状に形成され、映像通話ユニット１４０が設置される設置部１１２ａが設けられる。本実施例において、設置部１１２ａは、後面ケース１１２の上端中央から上側に突出する。設置部１１２ａは、前方側に開放され、映像通話ユニット１４０の前面を前方側に露出させるようになっており、設置部１１２ａの後面には、後述する調節ホイール１４４を後方側に露出させる操作ホール１１２ｂが設けられる。
【００３３】
映像通話ユニット１４０は、ＭｏＩＰ（Ｍｕｌｔｉｍｅｄｉａ  ｏｖｅｒ  Ｉｎｔｅｒｎｅｔ  Ｐｒｏｔｏｃｏｌ）を用いたユニットであって、図３及び図４に示したように、被写体である使用者を撮影するためのカメラモジュール１４１と、カメラモジュール１４１の両側に配置され、使用者の音が電気的な信号に変換されて入力される一対のマイクモジュール１４２とを含む。また、映像通話ユニット１４０は、映像通話ユニット１４０の外観を形成し、内部にカメラモジュール１４１とマイクモジュール１４２が収容されるハウジング１４３を含み、ハウジング１４３は、前後方向に互いに結合し、前面ハウジング１４３Ｆ及び後面ハウジング１４３Ｒを含む。また、映像通話ユニット１４０は、図５に示したように、リモコン（図示せず）や３Ｄ  ＴＶの視聴に使用されるシャッターガラス（図示せず）などとの通信のための通信部１４５を含むこともできる。
【００３４】
従って、使用者の姿は映像通話ユニット１４０のカメラモジュール１４１によって撮影され、使用者の音はマイクモジュール１４２を通して入力されるので、使用者がディスプレイ装置１００を通して映像通話を行うことができる。
【００３５】
また、映像通話ユニット１４０は、カメラモジュール１４１のチルト角度調節のためにカメラモジュールの後方側に回転可能に設置される調節ホイール１４４と、調節ホイール１４４の回転をカメラモジュール１４１に伝達するための複数のギア１４４ａとを含む。従って、使用者が調節ホイール１４４に力を加えて調節ホイール１４４を回転させると、調節ホイール１４４の回転運動が各ギア１４４ａを通してカメラモジュール１４１に伝達され、カメラモジュール１４１が回転する。
【００３６】
本実施例では、上述したように、カメラモジュール１４１の回転角度によってマイクモジュールの動作がオン（ＯＮ）／オフ（ＯＦＦ）になり得る。すなわち、カメラモジュール１４１が回転し、カメラモジュール１４１のレンズがディスプレイ装置１００の前方に向かう場合はマイクモジュール１４２がオン（ＯＮ）になり、ディスプレイ装置を通した映像通話が可能な状態になる一方、カメラモジュール１４１が回転し、カメラモジュール１４１のレンズが前方に向かわない場合はマイクモジュール１４２の動作がオフ（ＯＦＦ）になり、ディスプレイ装置１００を通した映像通話が不可能な状態になる。
【００３７】
映像通話ユニット１４０には、図２に示したように、映像通話ユニット１４０で生成される各種信号を伝送するための各ケーブル１４６の一端が連結され、ケーブル１４６の他端には、映像通話ユニット１４０の制御のための回路基板１５０が連結される。
【００３８】
本実施例において、ケーブル１４６は、軟性回路基板（Ｆｌｅｘｉｂｌｅ  Ｐｒｉｎｔ  ｃｉｒｃｕｉｔ  ｂｏａｒｄ）からなり、カメラモジュール１４１で撮影された映像情報を回路基板に伝達するカメラケーブル１４６ａと、電線からなり、マイクモジュール１４２で入力された音情報を回路基板１５０に伝達するマイクケーブル１４６ｂと、通信部１４５と回路基板１５０とを連結し、各種信号が伝達されるようにする信号線１４６ｃとを含む。
【００３９】
回路基板１５０は、本体１１０内におけるディスプレイパネル１１の後方側に配置され、ディスプレイパネル１２０と後面ケース１１２との間に配置される。
【００４０】
このような映像通話ユニット１４０は、図２に示したように、前面ケース１１１の上端中央部に固定される。このために、映像通話ユニット１４０には、前面ハウジング１４３Ｆから下側に延長された第１の固定部１４３ａが設けられ、前面ケース１１１には、その上部後端から下側に延長され、第１の固定部１４３ａに対応する第２の固定部１１１ｂが設けられる。従って、第１の固定部１４３ａを第２の固定部１１１ｂにスクリューＳを通して固定することによって、映像通話ユニット１４０が前面ケース１１１に固定される。
【００４１】
第１の固定部１４３ａには、スクリューＳが貫通して設置される結合ホール１４３ｂが設けられ、第２の固定部１１１ｂには、スクリューＳが締結される締結孔１１１ｃが設けられる。このとき、結合ホール１４３ｂには、弾性変形可能な材質で形成された緩衝部材１４７が設置される。
【００４２】
緩衝部材１４７は、スクリューＳが貫通して設置されるように中空の円筒状に形成され、緩衝部材１４７の両端には、半径方向に突出した緩衝部１４７ａがそれぞれ設けられる。従って、緩衝部材１４７を結合ホール１４３ｂに設置し、二つの緩衝部１４７ａが結合ホール１４３ｂの両側に突出した状態になるように設置した後、結合ホール１４３ｂにスクリューを設置し、映像通話ユニット１４０を前面ケース１１１に固定すると、映像通話ユニット１４０と前面ケース１１１は緩衝部材１４７を通して間接的に固定された状態になる。
【００４３】
このような状態では、本体１１０側で振動が発生するとしても、このような振動が緩衝部材１４７によって相当部分吸収されるので、映像通話ユニット１４０には振動が伝達されないか、振動が非常に小さく伝達される。従って、映像通話ユニット１４０、特に、振動に敏感な映像通話ユニット１４０のカメラモジュール１４１は安定的に動作することができる。
【００４４】
前記実施例では、緩衝部材１４７を通して映像通話ユニット１４０が本体１１０の前面ケースに設置された状態を開示しているが、これに限定されることはなく、図６に示したように、映像通話ユニット１４０を本体１１０により安定的に設置するために、映像通話ユニット１４０には前方側に突出した突出部１４３ｃを形成し、前面ケース１１１の上端中央部には突出部１４３ｃが挿入されるホルダー部１１１ｄを形成し、突出部１４３ｃがホルダー部１１１ｄに挿入されて支持されることによって、映像通話ユニット１４０の前方側がより安定的に前面ケース１１１に設置されることも可能である。
【００４５】
また、本実施例において、映像通話ユニット１４０が本体１１０の上部に突出して露出しているが、これに限定されることはなく、図７に示したディスプレイ装置２００のように、本体２１０が透明な材質で形成され、本体２１０の前面を形成する前面パネル２１３を備えるようにし、映像通話ユニット２４０が前面パネル２１３の後方側に配置されることによって、映像通話ユニット２４０が前面パネル２１３によって隠されることも可能である。
【００４６】
本実施例のディスプレイ装置２００において、本体２１０は、前面ケースに対応する構成を有さず、前面パネル２１３が後面ケース２１２に直接設置されているが、これに限定されることはなく、本体が前面ケース及び後面ケースを含むようにし、前面ケースの前面に前面パネルが設置されることも可能である。
【００４７】
前記のように構成する場合、光は、前面パネル２１３を通過してカメラモジュール（図示せず）に伝達できるが、音は、前面パネル２１３によって遮断されるためマイクモジュール（図示せず）に伝達されにくい。従って、前面パネル２１３には、映像通話ユニット１４０に内蔵されたマイクモジュールに対応する位置に貫通孔２１２ａが設けられ、音が貫通孔２１２ａを介してマイクモジュールに伝達されるようになっている。
【００４８】
前記映像通話ユニット２４０は、前面パネル２１３の後方側に配置され、前面パネル２１３によって隠されるようになっているが、これに限定されることはなく、映像通話ユニットを前面パネルの前面外郭側に配置することも可能であるが、このように適用する場合、既存に存在していた一般的なディスプレイ装置の内部を変更せずにも映像通話ユニットを簡単に適用することができる。
【００４９】
また、図８に示したように、映像通話ユニット３４０がディスプレイパネル３２０の後方側に配置されることも可能である。この場合、ディスプレイパネル３２０に映像通話ユニット３４０に対応する形状の貫通孔３２１を形成し、貫通孔３２１を介して光と音が映像通話ユニット３４０に伝達されるようになっている。
【００５０】
また、本実施例において、カメラモジュール１４１は、使用者が調節ホイール１４４を通してカメラモジュール１４１に力を加えて手動で回転させるようになっているが、これに限定されることはなく、モーターなどの駆動装置（図示せず）を通してカメラモジュールを回転させることも可能である。また、モーターなどの駆動装置を使用する場合は、ディスプレイ装置に駆動装置と共にセンサー（図示せず）を設置し、センサーによって感知された使用者の位置に従って自動的にカメラモジュールが回転したり、リモコン操作又はディスプレイ装置に設けられたボタン操作に従ってカメラモジュールが駆動装置によって回転するように構成することも可能である。
【００５１】
本実施例において、マイクモジュール１４２は、前方側からのみ音が入力されるようになっているが、これに限定されることはなく、前方及び後方側から音が入力されるようにした両方向マイクモジュールに形成し、前方側及び後方側に開放されている中空の管状に形成されたチューブ（図示せず）内にマイクモジュールを設置し、ディスプレイ装置の前方側及び後方側から音が入力されることも可能である。
【００５２】
このように構成する場合、チューブの両側、すなわち、ディスプレイ装置の前方側及び後方側からの音がチューブによって案内されてマイクモジュールの前面及び後面側に伝達されるので、映像通話ユニットが適用されたディスプレイ装置の厚さとは関係なく、ディスプレイ装置の前方側から伝達された音と後方側から伝達された音を位相差なく入力することができる。
【００５３】
本実施例において、映像通話ユニット１４０が設置される設置部１１２ａは後面ケース１１２に設けられており、ホルダー部１１１ｄは前面ケース１１１に設けられているが、これに限定されることはなく、その反対に、設置部が前面ケースに設けられ、ホルダー部が後面ケースに設けられることも可能である。
【００５４】
以下では、ディスプレイパネルとして有機発光ダイオードパネルを使用するディスプレイ装置を説明する。
【００５５】
図９に示したように、ディスプレイ装置４００は、有機発光ダイオードパネルからなるディスプレイパネル４１０と、ディスプレイパネル４１０の側面枠を取り囲むミドルカバー４２０と、ディスプレイ装置４００の後面を形成する後面ケース４３０と、ディスプレイパネル４１０の前面に付着するフィルム４４０とを含み、図面には示していないが、ディスプレイパネル４１０と後面ケース４３０との間には、ディスプレイ装置４００の動作を制御するための回路基板が配置される。本実施例において、フィルム４４０は、ディスプレイパネル４１０の前面に付着するが、後面に付着することもできる。
【００５６】
ディスプレイパネル４１０は、映像が表示される活性領域４１１と、映像が表示されない非活性領域４１２とに区分される。非活性領域４１２は、ディスプレイパネル４１０の活性領域４１１に映像が表示されるようにする集積回路又は配線などのパターンが配置される領域であって、フィルム４４０の外郭側には、パターンに対応する領域、すなわち、ディスプレイパネル４１０の非活性領域４１２に対応する領域に設けられてパターンを隠すブラックマトリックス部４４１が設けられる。本実施例において、ブラックマトリックス部４４１は、非活性領域４１２に対応するフィルム４４０の一部位を黒く処理して形成される。
【００５７】
また、ディスプレイ装置４００は、映像通話のためのカメラモジュール４５０及びマイクモジュール４６０を含む。本実施例において、このようなカメラモジュール４５０とマイクモジュール４６０は、ディスプレイパネル４１０の非活性領域、すなわち、ブラックマトリックス部４４１の後方側に配置される。
【００５８】
光と音がディスプレイパネル４１０を通過してカメラモジュール４５０及びマイクモジュール４６０に伝達されるようにするために、ディスプレイパネル４１０の非活性領域には一対の溝４１３が設けられる。フィルム４４０のブラックマトリックス部４４１には、光がブラックマトリックス部４４１を通過してカメラモジュール４５０に伝達されるように形成された透過部４４２と、音がブラックマトリックス部４４１を通過してマイクモジュール４６０に伝達されるようにする貫通孔４４３とがそれぞれ設けられる。
【００５９】
本実施例において、カメラモジュール４５０とマイクモジュール４６０は別途に構成され、それぞれディスプレイパネル４１０の非活性領域４１２の後方側に配置されているが、これに限定されることはなく、以前の実施例のように、カメラモジュールとマイクモジュールが一つの映像通話ユニット内に含まれるようにし、映像通話ユニットがディスプレイパネルの非活性領域の後方側に配置されることも可能である。
【００６０】
本実施例において、ディスプレイパネル４１０の非活性領域４１２は、上述したように、フィルム４４０のブラックマトリックス部４４１によって隠されるようになっている。しかし、これに限定されることはなく、ベゼルによって非活性領域が隠されるようになっているディスプレイ装置において、映像通話ユニット（カメラモジュール及びマイクモジュール）はベゼルの後方側に配置することができ、ベゼルには映像通話ユニットのカメラモジュール及びマイクモジュールに対応する位置に貫通孔が設けられるようにし、貫通孔を介して光と音を伝達することができる。
【００６１】
また、ベゼルの幅が十分に広いディスプレイ装置において、映像通話ユニットは、ディスプレイパネルの外側にディスプレイパネルと並んで配置することもできる。この場合も、ベゼルには、カメラモジュール及びマイクモジュールに対応する位置に貫通孔が設けられる。
【００６２】
本発明は、上述した各実施例に限定されるものではなく、本発明の思想から逸脱しない範囲で多様に修正及び変形可能であることは、この技術分野で通常の知識を有する者にとって自明である。従って、修正例及び変形例は、本発明の特許請求の範囲に属するものと言える。
【符号の説明】
【００６３】
１００    ディスプレイ装置
１１０    本体
１１１    前面ケース
１１２    後面ケース
１２０    ディスプレイパネル
１３０    スタンド
１４０    映像通話ユニット
１４１    カメラモジュール
１４２    マイクモジュール
１４４    調節ホイール
１４５    通信部
１４６    ケーブル
１４７    緩衝部材
１５０    回路基板
【図１】
0006312982.tif 000002
【図２】
0006312982.tif 000003
【図３】
0006312982.tif 000004
【図４】
0006312982.tif 000005
【図５】
0006312982.tif 000006
【図６】
0006312982.tif 000007
【図７】
0006312982.tif 000008
【図８】
0006312982.tif 000009
【図９】
0006312982.tif 000010